(57)【特許請求の範囲】
【請求項１】
検出された脱硫ガス流量と吸収塔入口ＳＯ2濃度とに基づいて吸収塔へ流入してくるＳＯ2量を求め、該ＳＯ2量に基づいて実際に必要となる必要吸収剤量を求める一方、予め設定された設定ｐＨ値と検出された吸収液のｐＨとのｐＨ偏差を求め、該ｐＨ偏差を比例積分処理して該ｐＨ偏差をなくすための吸収剤換算量を求め、前記必要吸収剤量に対して吸収剤換算量を加えることにより、ｐＨ考慮必要吸収剤量を求め、該ｐＨ考慮必要吸収剤量を検出された吸収剤スラリー濃度で割ることにより、前記吸収液のｐＨを設定ｐＨ値に保持するのに必要となる設定吸収剤スラリー流量を求め、検出された吸収剤スラリー流量が設定吸収剤スラリー流量と等しくなるよう、制御を行う排煙脱硫装置の吸収剤スラリー流量制御方法において、ｐＨ偏差を比例積分処理する際の比例定数と積分定数とをそれぞれ、吸収塔へ流入してくるＳＯ2量に基づいて設定することを特徴とする排煙脱硫装置の吸収剤スラリー流量制御方法。
【請求項２】
吸収塔内における吸収液のｐＨを検出するｐＨ計と、脱硫ガス流量を検出する脱硫ガス流量計と、吸収塔入口ＳＯ2濃度を検出する吸収塔入口ＳＯ2濃度計と、吸収剤スラリー流量を検出する吸収剤スラリー流量計と、吸収剤スラリー濃度を検出する吸収剤スラリー濃度計と、吸収塔内へ供給される吸収剤スラリー流量を調節する流量調整弁と、
前記脱硫ガス流量と前記吸収塔入口ＳＯ2濃度とに基づいて吸収塔へ流入してくるＳＯ2量を求め、該ＳＯ2量に基づいて実際に必要となる必要吸収剤量を求める一方、予め設定された設定ｐＨ値と前記吸収液のｐＨとのｐＨ偏差を求め、該ｐＨ偏差を前記ＳＯ2量に基づいて設定される比例定数と積分定数とを用いて比例積分処理して該ｐＨ偏差をなくすための吸収剤換算量を求め、前記必要吸収剤量に対して吸収剤換算量を加えることにより、ｐＨ考慮必要吸収剤量を求め、該ｐＨ考慮必要吸収剤量を前記吸収剤スラリー濃度で割ることにより、前記吸収液のｐＨを設定ｐＨ値に保持するのに必要となる設定吸収剤スラリー流量を求め、前記吸収剤スラリー流量が設定吸収剤スラリー流量と等しくなるよう、前記流量調整弁へ開度指令を出力する制御器とを備えたことを特徴とする排煙脱硫装置の吸収剤スラリー流量制御装置。
【発明の詳細な説明】
【０００１】
【発明の属する技術分野】
本発明は、排煙脱硫装置の吸収剤スラリー流量制御方法及び装置に関するものである。
【０００２】
【従来の技術】
一般に、発電所等においては、石炭焚ボイラ等から排出される排ガスからＳＯ2（硫黄酸化物）を吸収除去するために、吸収剤として炭酸カルシウム（ＣａＣＯ3）を用いた排煙脱硫装置が設けられるが、該排煙脱硫装置は、通常、図４に示されるように、下部に吸収液１の液溜部１ａが形成され且つ上部に多数のスプレーノズル２が配設された吸収塔３と、該吸収塔３の液溜部１ａの吸収液１を汲み上げ前記スプレーノズル２から噴霧させて循環させる複数台の循環ポンプ４と、前記吸収塔３の液溜部１ａに酸化空気を供給する酸化空気ブロワ５とを備えてなる構成を有している。
【０００３】
前述の如き排煙脱硫装置の場合、吸収液１が循環ポンプ４の作動によりスプレーノズル２から噴霧されつつ循環しており、図示していない石炭焚ボイラ等から吸収塔３に送り込まれた排ガスは、前記スプレーノズル２から噴霧される吸収液１と接触することにより、ＳＯ2（硫黄酸化物）が吸収除去された後、外部へ排出される。
【０００４】
一方、前記排ガスからＳＯ2を吸収した吸収液１は、液溜部１ａに滴下し、酸化空気ブロワ５の作動によって液溜部１ａ内へ供給される酸化空気により強制的に酸化され、石膏（硫酸カルシウム（ＣａＳＯ4））が生成され、該石膏を含む液溜部１ａ内の吸収液１の一部は、吸収塔３の底部から石膏スラリーとして抜き出され、図示していない石膏回収系へ導かれ、該石膏回収系において石膏スラリーから水分が除去され石膏が生成されて回収されるようになっている。
【０００５】
又、前記吸収塔３には、必要に応じて適宜、流量調整弁８の開度を制御することにより、所要量の吸収剤スラリーが供給されるようになっているが、その制御系は、吸収塔３内における吸収液１のｐＨ（ペーハー）を検出するｐＨ計７と、脱硫ガス流量Ａを検出する脱硫ガス流量計９と、吸収塔入口ＳＯ2濃度Ｂを検出する吸収塔入口ＳＯ2濃度計１０と、吸収剤スラリー流量Ｄを検出する吸収剤スラリー流量計１２と、吸収剤スラリー濃度Ｅを検出する吸収剤スラリー濃度計１３とを備えると共に、前記脱硫ガス流量計９で検出された脱硫ガス流量Ａと、前記吸収塔入口ＳＯ2濃度計１０で検出された吸収塔入口ＳＯ2濃度Ｂと、前記ｐＨ計７で検出された吸収液１のｐＨと、前記吸収剤スラリー濃度計１３で検出された吸収剤スラリー濃度Ｅとに基づき、前記吸収液１のｐＨを設定ｐＨ値に保持するのに必要となる設定吸収剤スラリー流量２８（図５参照）を求め、前記吸収剤スラリー流量Ｄが設定吸収剤スラリー流量２８と等しくなるよう、前記流量調整弁８へ開度指令３２を出力する制御器６とを備えてなる構成を有している。
【０００６】
前記制御器６は、図５に示される如く、前記吸収塔入口ＳＯ2濃度計１０で検出された吸収塔入口ＳＯ2濃度Ｂに対して設定脱硫率（例えば９０％）を掛けることにより、脱硫ＳＯ2濃度１４を求めて出力する乗算器１５と、
前記脱硫ガス流量計９で検出された脱硫ガス流量Ａに対して前記乗算器１５から出力される脱硫ＳＯ2濃度１４を掛けることにより、排ガス中から除去すべき吸収塔３へ流入してくるＳＯ2量１６を求めて出力する乗算器１７と、
該乗算器１７から出力されるＳＯ2量１６に対して（吸収剤量／ＳＯ2量）の値を掛けることにより、吸収剤量１８を求めて出力する乗算器１９と、
該乗算器１９から出力される吸収剤量１８に対して設定吸収剤過剰率（例えば１．０２）を掛けることにより、実際に必要となる必要吸収剤量２０を求めて出力する乗算器２１と、
予め設定された設定ｐＨ値（例えば５．０）と前記ｐＨ計７で検出された吸収液１のｐＨとの差を求め、ｐＨ偏差２２を出力する減算器２３と、
該減算器２３から出力されるｐＨ偏差２２を比例積分処理して該ｐＨ偏差２２をなくすための吸収剤換算量２４を出力する比例積分調節器２５と、
前記乗算器２１から出力される必要吸収剤量２０に対して前記比例積分調節器２５から出力される吸収剤換算量２４を加えることにより、ｐＨ考慮必要吸収剤量２６を求めて出力する加算器２７と、
該加算器２７から出力されるｐＨ考慮必要吸収剤量２６を前記吸収剤スラリー濃度計１３で検出された吸収剤スラリー濃度Ｅで割ることにより、設定吸収剤スラリー流量２８を求めて出力する除算器２９と、
該除算器２９から出力される設定吸収剤スラリー流量２８と前記吸収剤スラリー流量計１２で検出された吸収剤スラリー流量Ｄとの差を求め、吸収剤スラリー偏差３０を出力する減算器３１と、
該減算器３１から出力される吸収剤スラリー偏差３０を比例積分処理して該吸収剤スラリー偏差３０をなくすための流量調整弁８の開度指令３２を出力する比例積分調節器３３と
を備えてなる構成を有している。
【０００７】
前記排煙脱硫装置の運転時には、ｐＨ計７で検出された吸収液１のｐＨと、脱硫ガス流量計９で検出された脱硫ガス流量Ａと、吸収塔入口ＳＯ2濃度計１０で検出された吸収塔入口ＳＯ2濃度Ｂと、吸収剤スラリー流量計１２で検出された吸収剤スラリー流量Ｄと、吸収剤スラリー濃度計１３で検出された吸収剤スラリー濃度Ｅとが制御器６へ入力され、該制御器６の乗算器１５において前記吸収塔入口ＳＯ2濃度計１０で検出された吸収塔入口ＳＯ2濃度Ｂに対して設定脱硫率を掛けることにより、脱硫ＳＯ2濃度１４が求められて乗算器１７へ出力され、該乗算器１７において前記脱硫ガス流量計９で検出された脱硫ガス流量Ａに対して前記乗算器１５から出力される脱硫ＳＯ2濃度１４を掛けることにより、排ガス中から除去すべき吸収塔３へ流入してくるＳＯ2量１６が求められて乗算器１９へ出力され、該乗算器１９において前記乗算器１７から出力されるＳＯ2量１６に対して（吸収剤量／ＳＯ2量）の値を掛けることにより、吸収剤量１８が求められて乗算器２１へ出力され、該乗算器２１において前記乗算器１９から出力される吸収剤量１８に対して設定吸収剤過剰率を掛けることにより、実際に必要となる必要吸収剤量２０が求められて加算器２７へ出力される一方、減算器２３において予め設定された設定ｐＨ値と前記ｐＨ計７で検出された吸収液１のｐＨとの差が求められてｐＨ偏差２２が比例積分調節器２５へ出力され、該比例積分調節器（フィードバック制御演算を行なっている調節器）２５において前記減算器２３から出力されるｐＨ偏差２２が比例積分処理され該ｐＨ偏差２２をなくすための吸収剤換算量２４が加算器２７へ出力され、該加算器２７において前記乗算器２１から出力される必要吸収剤量２０に対して前記比例積分調節器２５から出力される吸収剤換算量２４を加えることにより、ｐＨ考慮必要吸収剤量２６が求められて除算器２９へ出力され、該除算器２９において前記加算器２７から出力されるｐＨ考慮必要吸収剤量２６を前記吸収剤スラリー濃度計１３で検出された吸収剤スラリー濃度Ｅで割ることにより、設定吸収剤スラリー流量２８が求められて減算器３１へ出力され、該減算器３１において前記除算器２９から出力される設定吸収剤スラリー流量２８と前記吸収剤スラリー流量計１２で検出された吸収剤スラリー流量Ｄとの差が求められ、吸収剤スラリー偏差３０が比例積分調節器３３へ出力され、該比例積分調節器３３において前記減算器３１から出力される吸収剤スラリー偏差３０が比例積分処理され該吸収剤スラリー偏差３０をなくすための開度指令３２が流量調整弁８へ出力され、該流量調整弁８の開度が調節され、前記吸収剤スラリー流量Ｄが設定吸収剤スラリー流量２８と等しくなるよう制御が行われ、これにより前記吸収液１のｐＨを設定ｐＨ値に保持するようになっている。
【０００８】
【発明が解決しようとする課題】
しかしながら、前述の如き従来の制御系においては、吸収液１のｐＨを設定ｐＨ値に保持するための比例積分調節器２５の比例定数並びに積分定数は、負荷（吸収塔３へ流入してくるＳＯ2量１６）の変化に関係なく一定となっているため、例えば、前記比例積分調節器２５の比例定数並びに積分定数が、負荷が高い時に適正となっている場合に、負荷が低くなって吸収塔３へ流入してくるＳＯ2量１６が少なくなると、吸収液１のｐＨ偏差２２が高負荷時と同じであって吸収塔３へ供給される吸収剤スラリーの量が同じであったとしても、実際には過剰な量の吸収剤スラリーが吸収塔３へ供給される形となり、吸収液１のｐＨが不安定となる一方、逆に、前記比例積分調節器２５の比例定数並びに積分定数が、負荷が低い時に適正となっている場合に、負荷が高くなって吸収塔３へ流入してくるＳＯ2量１６が多くなると、吸収液１のｐＨ偏差２２が低負荷時と同じであって吸収塔３へ供給される吸収剤スラリーの量が同じであったとしても、実際には吸収塔３へ供給される吸収剤スラリーが不足する形となり、吸収液１のｐＨ偏差２２の収束が遅くなってしまうという欠点を有していた。
【０００９】
本発明は、斯かる実情に鑑み、低負荷から高負荷にかけて吸収液のｐＨ偏差を速やかに収束させることができ、吸収液のｐＨを安定させ得る排煙脱硫装置の吸収剤スラリー流量制御方法及び装置を提供しようとするものである。
【００１０】
【課題を解決するための手段】
本発明は、検出された脱硫ガス流量と吸収塔入口ＳＯ2濃度とに基づいて吸収塔へ流入してくるＳＯ2量を求め、該ＳＯ2量に基づいて実際に必要となる必要吸収剤量を求める一方、予め設定された設定ｐＨ値と検出された吸収液のｐＨとのｐＨ偏差を求め、該ｐＨ偏差を比例積分処理して該ｐＨ偏差をなくすための吸収剤換算量を求め、前記必要吸収剤量に対して吸収剤換算量を加えることにより、ｐＨ考慮必要吸収剤量を求め、該ｐＨ考慮必要吸収剤量を検出された吸収剤スラリー濃度で割ることにより、前記吸収液のｐＨを設定ｐＨ値に保持するのに必要となる設定吸収剤スラリー流量を求め、検出された吸収剤スラリー流量が設定吸収剤スラリー流量と等しくなるよう、制御を行う排煙脱硫装置の吸収剤スラリー流量制御方法において、ｐＨ偏差を比例積分処理する際の比例定数と積分定数とをそれぞれ、吸収塔へ流入してくるＳＯ2量に基づいて設定することを特徴とする排煙脱硫装置の吸収剤スラリー流量制御方法にかかるものである。
【００１１】
又、本発明は、吸収塔内における吸収液のｐＨを検出するｐＨ計と、脱硫ガス流量を検出する脱硫ガス流量計と、吸収塔入口ＳＯ2濃度を検出する吸収塔入口ＳＯ2濃度計と、吸収剤スラリー流量を検出する吸収剤スラリー流量計と、吸収剤スラリー濃度を検出する吸収剤スラリー濃度計と、吸収塔内へ供給される吸収剤スラリー流量を調節する流量調整弁と、
前記脱硫ガス流量と前記吸収塔入口ＳＯ2濃度とに基づいて吸収塔へ流入してくるＳＯ2量を求め、該ＳＯ2量に基づいて実際に必要となる必要吸収剤量を求める一方、予め設定された設定ｐＨ値と前記吸収液のｐＨとのｐＨ偏差を求め、該ｐＨ偏差を前記ＳＯ2量に基づいて設定される比例定数と積分定数とを用いて比例積分処理して該ｐＨ偏差をなくすための吸収剤換算量を求め、前記必要吸収剤量に対して吸収剤換算量を加えることにより、ｐＨ考慮必要吸収剤量を求め、該ｐＨ考慮必要吸収剤量を前記吸収剤スラリー濃度で割ることにより、前記吸収液のｐＨを設定ｐＨ値に保持するのに必要となる設定吸収剤スラリー流量を求め、前記吸収剤スラリー流量が設定吸収剤スラリー流量と等しくなるよう、前記流量調整弁へ開度指令を出力する制御器とを備えたことを特徴とする排煙脱硫装置の吸収剤スラリー流量制御装置にかかるものである。
【００１２】
上記手段によれば、以下のような作用が得られる。
【００１３】
本発明の排煙脱硫装置の吸収剤スラリー流量制御方法においては、運転時には、検出された脱硫ガス流量と吸収塔入口ＳＯ2濃度とに基づいて吸収塔へ流入してくるＳＯ2量が求められ、該ＳＯ2量に基づいて実際に必要となる必要吸収剤量が求められる一方、予め設定された設定ｐＨ値と検出された吸収液のｐＨとのｐＨ偏差が求められ、該ｐＨ偏差が比例積分処理されて該ｐＨ偏差をなくすための吸収剤換算量が求められ、前記必要吸収剤量に対して吸収剤換算量を加えることにより、ｐＨ考慮必要吸収剤量が求められ、該ｐＨ考慮必要吸収剤量を検出された吸収剤スラリー濃度で割ることにより、前記吸収液のｐＨを設定ｐＨ値に保持するのに必要となる設定吸収剤スラリー流量が求められ、検出された吸収剤スラリー流量が設定吸収剤スラリー流量と等しくなるよう、制御が行われるが、前記ｐＨ偏差が比例積分処理される際の比例定数と積分定数とはそれぞれ、吸収塔へ流入してくるＳＯ2量に基づいて設定される。
【００１４】
又、本発明の排煙脱硫装置の吸収剤スラリー流量制御装置においては、運転時には、ｐＨ計で検出された吸収液のｐＨと、脱硫ガス流量計で検出された脱硫ガス流量と、吸収塔入口ＳＯ2濃度計で検出された吸収塔入口ＳＯ2濃度と、吸収剤スラリー流量計で検出された吸収剤スラリー流量と、吸収剤スラリー濃度計で検出された吸収剤スラリー濃度とが制御器へ入力され、該制御器において、前記脱硫ガス流量と前記吸収塔入口ＳＯ2濃度とに基づいて吸収塔へ流入してくるＳＯ2量が求められ、該ＳＯ2量に基づいて実際に必要となる必要吸収剤量が求められる一方、予め設定された設定ｐＨ値と前記吸収液のｐＨとのｐＨ偏差が求められ、該ｐＨ偏差が前記ＳＯ2量に基づいて設定される比例定数と積分定数とを用いて比例積分処理されて該ｐＨ偏差をなくすための吸収剤換算量が求められ、前記必要吸収剤量に対して吸収剤換算量を加えることにより、ｐＨ考慮必要吸収剤量が求められ、該ｐＨ考慮必要吸収剤量を前記吸収剤スラリー濃度で割ることにより、前記吸収液のｐＨを設定ｐＨ値に保持するのに必要となる設定吸収剤スラリー流量が求められ、前記吸収剤スラリー流量が設定吸収剤スラリー流量と等しくなるよう、前記流量調整弁へ開度指令が出力され、該流量調整弁の開度が調節される。
【００１５】
この結果、本発明の排煙脱硫装置の吸収剤スラリー流量制御方法及び装置においては、吸収液のｐＨを設定ｐＨ値に保持するために行われる比例積分処理の際の比例定数並びに積分定数は、吸収塔へ流入してくるＳＯ2量の変化に応じて常に適正な値に設定し直されるため、例えば、負荷が低く吸収塔へ流入してくるＳＯ2量が少ない時には、吸収液のｐＨ偏差が高負荷時と同じであっても吸収塔へ供給される吸収剤スラリーの量は、高負荷時より所要量だけ少なくなり、過剰な量の吸収剤スラリーが吸収塔へ供給されることがなくなり、吸収液のｐＨが安定する一方、逆に、負荷が高く吸収塔へ流入してくるＳＯ2量が多い時には、吸収液のｐＨ偏差が低負荷時と同じであっても吸収塔へ供給される吸収剤スラリーの量は、低負荷時より所要量だけ多くなり、吸収塔へ供給される吸収剤スラリーが不足することがなくなり、吸収液のｐＨ偏差の収束が速やかに行われることとなる。
【００１６】
【発明の実施の形態】
以下、本発明の実施の形態を図示例と共に説明する。
【００１７】
図１は本発明を実施する形態の一例であって、図中、図４及び図５と同一の符号を付した部分は同一物を表わしており、基本的な構成は図４及び図５に示す従来のものと同様であるが、本図示例の特徴とするところは、図１に示す如く、ＳＯ2量１６に基づき比例積分調節器２５の比例定数３４を求めて該比例積分調節器２５へ出力する関数発生器３５と、ＳＯ2量１６に基づき比例積分調節器２５の積分定数３６を求めて該比例積分調節器２５へ出力する関数発生器３７とを追加装備した点にある。
【００１８】
尚、前記関数発生器３５には、図２に示されるような関数が入力されており、該関数は、ＳＯ2量１６の増減に対し略比例させて比例定数３４を増減させることを表わしている。又、前記関数発生器３７には、図３に示されるような関数が入力されており、該関数は、ＳＯ2量１６の増減に対し略比例させて積分定数３６を増減させることを表わしている。
【００１９】
次に、上記図示例の作動を説明する。
【００２０】
排煙脱硫装置の運転時には、ｐＨ計７で検出された吸収液１のｐＨと、脱硫ガス流量計９で検出された脱硫ガス流量Ａと、吸収塔入口ＳＯ2濃度計１０で検出された吸収塔入口ＳＯ2濃度Ｂと、吸収剤スラリー流量計１２で検出された吸収剤スラリー流量Ｄと、吸収剤スラリー濃度計１３で検出された吸収剤スラリー濃度Ｅとが制御器６へ入力され、該制御器６の乗算器１５において前記吸収塔入口ＳＯ2濃度計１０で検出された吸収塔入口ＳＯ2濃度Ｂに対して設定脱硫率を掛けることにより、脱硫ＳＯ2濃度１４が求められて乗算器１７へ出力され、該乗算器１７において前記脱硫ガス流量計９で検出された脱硫ガス流量Ａに対して前記乗算器１５から出力される脱硫ＳＯ2濃度１４を掛けることにより、排ガス中から除去すべき吸収塔３へ流入してくるＳＯ2量１６が求められて乗算器１９へ出力され、該乗算器１９において前記乗算器１７から出力されるＳＯ2量１６に対して（吸収剤量／ＳＯ2量）の値を掛けることにより、吸収剤量１８が求められて乗算器２１へ出力され、該乗算器２１において前記乗算器１９から出力される吸収剤量１８に対して設定吸収剤過剰率を掛けることにより、実際に必要となる必要吸収剤量２０が求められて加算器２７へ出力される。
【００２１】
一方、減算器２３において予め設定された設定ｐＨ値と前記ｐＨ計７で検出された吸収液１のｐＨとの差が求められてｐＨ偏差２２が比例積分調節器２５へ出力され、該比例積分調節器２５において前記減算器２３から出力されるｐＨ偏差２２が比例積分処理され該ｐＨ偏差２２をなくすための吸収剤換算量２４が加算器２７へ出力されるが、ここで、前記乗算器１７から出力されるＳＯ2量１６に基づき関数発生器３５において比例積分調節器２５の比例定数３４が求められて該比例積分調節器２５へ出力されると共に、前記乗算器１７から出力されるＳＯ2量１６に基づき関数発生器３７において比例積分調節器２５の積分定数３６が求められて該比例積分調節器２５へ出力され、その時のＳＯ2量１６に応じて前記比例積分調節器２５の比例定数３４と積分定数３６とが設定し直される形となるので比例積分演算器２５では、吸収塔液ｐＨを速く安定させる演算が実行される。
【００２２】
前記加算器２７においては、前記乗算器２１から出力される必要吸収剤量２０に対して前記比例積分調節器２５から出力される吸収剤換算量２４を加えることにより、ｐＨ考慮必要吸収剤量２６が求められて除算器２９へ出力され、該除算器２９において前記加算器２７から出力されるｐＨ考慮必要吸収剤量２６を前記吸収剤スラリー濃度計１３で検出された吸収剤スラリー濃度Ｅで割ることにより、設定吸収剤スラリー流量２８が求められて減算器３１へ出力され、該減算器３１において前記除算器２９から出力される設定吸収剤スラリー流量２８と前記吸収剤スラリー流量計１２で検出された吸収剤スラリー流量Ｄとの差が求められ、吸収剤スラリー偏差３０が比例積分調節器３３へ出力され、該比例積分調節器３３において前記減算器３１から出力される吸収剤スラリー偏差３０が比例積分処理され該吸収剤スラリー偏差３０をなくすための開度指令３２が流量調整弁８へ出力され、該流量調整弁８の開度が調節され、前記吸収剤スラリー流量Ｄが設定吸収剤スラリー流量２８と等しくなるよう制御が行われる。
【００２３】
この結果、前述したように、吸収液１のｐＨを設定ｐＨ値に保持するための比例積分調節器２５の比例定数３４並びに積分定数３６は、負荷（吸収塔３へ流入してくるＳＯ2量１６）の変化に応じて常に適正な値に設定し直されるため、例えば、負荷が低く吸収塔３へ流入してくるＳＯ2量１６が少ない時には、吸収液１のｐＨ偏差２２が高負荷時と同じであっても吸収塔３へ供給される吸収剤スラリーの量は、高負荷時より所要量だけ少なくなり、過剰な量の吸収剤スラリーが吸収塔３へ供給されることがなくなり、吸収液１のｐＨが安定する一方、逆に、負荷が高く吸収塔３へ流入してくるＳＯ2量１６が多い時には、吸収液１のｐＨ偏差２２が低負荷時と同じであっても吸収塔３へ供給される吸収剤スラリーの量は、低負荷時より所要量だけ多くなり、吸収塔３へ供給される吸収剤スラリーが不足することがなくなり、吸収液１のｐＨ偏差２２の収束が速やかに行われることとなる。
【００２４】
こうして、低負荷から高負荷にかけて吸収液１のｐＨ偏差２２を速やかに収束させることができ、吸収液１のｐＨを安定させ得る。
【００２５】
尚、本発明の排煙脱硫装置の吸収剤スラリー流量制御方法及び装置は、上述の図示例にのみ限定されるものではなく、本発明の要旨を逸脱しない範囲内において種々変更を加え得ることは勿論である。
【００２６】
【発明の効果】
以上、説明したように本発明の排煙脱硫装置の吸収剤スラリー流量制御方法及び装置によれば、低負荷から高負荷にかけて吸収液のｐＨ偏差を速やかに収束させることができ、吸収液のｐＨを安定させ得るという優れた効果を奏し得る。
【図面の簡単な説明】
【図１】本発明を実施する形態の一例の制御ブロック図である。
【図２】図１に示す関数発生器３５に入力されている関数を表わす線図である。
【図３】図１に示す関数発生器３７に入力されている関数を表わす線図である。
【図４】従来例の全体概要構成図である。
【図５】図４に示される制御器の制御ブロック図である。
【符号の説明】
１          吸収液
３          吸収塔
６          制御器
７          ｐＨ計
８          流量調整弁
９          脱硫ガス流量計
１０          吸収塔入口ＳＯ2濃度計
１２          吸収剤スラリー流量計
１３          吸収剤スラリー濃度計
１６          ＳＯ2量
２０          必要吸収剤量
２２          ｐＨ偏差
２４          吸収剤換算量
２５          比例積分調節器
２６          ｐＨ考慮必要吸収剤量
２８          設定吸収剤スラリー流量
３２          開度指令
３４          比例定数
３５          関数発生器
３６          積分定数
３７          関数発生器
Ａ          脱硫ガス流量
Ｂ          吸収塔入口ＳＯ2濃度
Ｄ          吸収剤スラリー流量
Ｅ          吸収剤スラリー濃度
【図１】
0003757616.tif 000002
【図２】
0003757616.tif 000003
【図３】
0003757616.tif 000004
【図４】
0003757616.tif 000005
【図５】
0003757616.tif 000006